(57)【要約】【課題】測定範囲の制約が無く、持ち運びに便利な電力線の周波数特性測定装置を提供することを目的とする。【解決手段】本実施例は、測定装置を発振器１２と測定器１３とに分割し、発振器１２が出力する信号を電力線に注入するカップリングユニット１４を電力線の送信端に接続し、測定器１３が入力する信号を電力線より抽出するカップリングユニット１５を電力線の受信端に接続したものである。発振器１２は、測定器１３が出力するスイープタイミング信号に外部同期する機能を備え、前記スイープタイミング信号に同期した周波数特性を測定するための所定のスイープ周波数測定信号を出力し、測定器１３は、基準となるスイープタイミング信号を生成すると共に、該スイープタイミング信号に同期して所定の周波数ポイントで所定の測定時間、電力線を経由して受信されるスイープ周波数測定信号のレベルをミキサーを用いて測定する手段を有する。【選択図】    図１
2005265484.tif 000002
【特許請求の範囲】
【請求項１】
電力線の周波数特性を測定するための測定信号を出力する発振器と、前記測定信号を電力線に注入する第一のカップリングユニットと、電力線から前記測定信号を抽出する第二のカップリングユニットと、抽出した測定信号のレベルを測定して電力線の周波数特性を測定する測定器とにより構成する電力線の周波数特性測定装置であって、
前記発振器は、外部より同期命令信号を受信し位相同期回路を外部から入力するスイープタイミング信号に同期させると共に、外部より測定信号のスイープ時間とスイープ周波数範囲の設定を行う信号と、発振器の出力インタフェース条件の切替を行う信号とを受信して所定の機能ブロックの制御を行う制御部と、
該制御部の制御の基に外部より入力するスイープタイミング信号に同期した独自のスイープタイミング信号を生成し保持する位相同期回路と、
該位相同期回路の基準周波数信号を出力する電圧制御水晶発振器と、
前記制御部の制御の基に位相同期回路が出力するスイープタイミング信号を入力し、該スイープタイミング信号に同期して所定のスイープ時間で所定の電圧範囲の三角波電圧を一定周器で繰り返し発生するランプ電圧発生部と、
前記三角波電圧を入力し電圧制御発振回路を制御して、前記スイープタイミング信号に同期した所定の範囲の周波数信号を所定のスイープ時間でスイープした測定信号を発生するスイーパーと、
前記測定信号を所定のレベルに増幅する増幅器と、
前記制御部の制御により発振器の出力インタフェース条件を５０Ω平衡、或いは５０Ω不平衡に切替える切替部とを含み、
前記測定器は、外部よりスイープ時間と測定時間と測定間隔時間と測定周波数ポイント数とスイープ周波数範囲の設定を行う信号と、及び測定器の入力インタフェース条件の切替を設定する信号とを受信して、所定の機能ブロックを制御する制御部と、
基準周波数信号を出力する温度制御水晶発振器と、
前記制御部の制御により測定器の入力インタフェース条件を５０Ω平衡、或いは５０Ω不平衡に切替える切替部と、
受信した測定信号を所定のレベルに増幅する増幅器と、
前記制御部の制御の基にスイープタイミング信号を生成すると共に、前記スイープタイミング信号に同期してスイープして得た測定周波数ポイントにおいて、受信した測定信号を所定時間レベル測定し、電力線の周波数特性を求める周波数解析部と、
求めた周波数特性を表示する表示部とを含むよう構成したことを特徴とする電力線の周波数特性測定装置。
【請求項２】
前記周波数解析部は、前記制御部の制御により前記温度制御水晶発振器が出力する基準周波数信号を分周してスイープタイミング信号と測定タイミング信号を出力する分周部と、
該分周部が出力するスイープタイミング信号と測定タイミング信号を入力すると共に、前記制御部よりスイープ時間と測定間隔時間と測定周波数ポイント数とスイープ周波数範囲の条件制御を受け、スイープタイミング信号に同期した所定の電圧範囲で階段状の三角波電圧を繰り返し発生する電圧制御発振器制御電圧発生部と、
該電圧制御発振器制御電圧発生部が出力する階段状の三角波電圧を入力し、前記スイープタイミング信号に同期して所定のスイープ時間で所定の周波数範囲にスイープされた測定周波数ポイントを有する階段状の周波数信号を繰り返し出力する電圧制御発振器と、
該電圧制御発振器が出力する周波数信号と前記増幅器が出力する測定信号とを混合するミキサー部と、
該ミキサー部が出力する混合信号の直流成分を抽出する低域濾波器と、
該低域濾波器が出力する直流電圧のレベルを所定のタイミングで測定するレベル測定部とを含むよう構成したことを特徴とする請求項１に記載の電力線の周波数特性測定装置。
【請求項３】
電力線の周波数特性を測定する測定信号を出力する発振器と、前記測定信号を電力線に注入する第一のカップリングユニットと、電力線から前記測定信号を抽出する第二のカップリングユニットと、抽出した測定信号のレベルを測定して電力線の周波数特性を測定する測定器とにより構成する電力線の周波数特性測定装置であって、
前記発振器は、外部より測定信号のスイープ時間とスイープ周波数範囲の設定を行う信号と、発振器の出力インタフェース条件の切替を行う信号とを受信して所定の機能ブロックの制御を行う制御部と、
基準周波数信号を出力する温度制御水晶発振器と、
前記制御部の制御により前記温度制御水晶発振器が出力する基準周波数信号を分周してスイープタイミング信号と測定タイミング信号を出力する分周部と、
前記制御部の制御の基に前記分周部が出力するスイープタイミング信号を入力して、該スイープタイミング信号に同期して所定のスイープ時間で所定の電圧範囲の三角波電圧を一定周器で繰り返し発生するランプ電圧発生部と、
前記三角波電圧を入力し電圧制御発振回路を制御して、前記スイープタイミング信号に同期した所定の範囲の周波数信号を所定のスイープ時間でスイープした測定信号を発生するスイーパーと、
前記測定信号を所定のレベルに増幅する増幅器と、
発振器の出力インタフェース条件を５０Ω平衡、或いは５０Ω不平衡に切替える切替部とを含み、
前記測定器は、外部より同期命令信号を受信し位相同期回路を外部から入力するスイープタイミング信号に同期させると共に、外部よりスイープ時間と測定時間と測定間隔時間と測定周波数ポイント数とスイープ周波数範囲の設定を行う信号と、測定器の入力インタフェース条件を切替える信号とを受信して所定の機能ブロックを制御する制御部と、
位相同期回路の基準周波数信号を出力する電圧制御水晶発振器と、
測定器の入力インタフェース条件を５０Ω平衡、或いは５０Ω不平衡に切替える切替部と、
受信した測定信号を所定のレベルに増幅する増幅器と、
発振器より受信したスイープタイミング信号に位相同期した独自のスイープタイミング信号を生成保持すると共に、前記スイープタイミング信号に同期してスイープして得た測定周波数ポイントにおいて、受信した測定信号を所定時間レベル測定し、電力線の周波数特性を求める周波数解析部と、
求めた周波数特性を表示する表示部とを含むよう構成したことを特徴とする電力線の周波数特性測定装置。
【請求項４】
前記周波数解部は、外部より入力するスイープタイミング信号に同期した独自のスイープタイミング信号と測定タイミング信号を生成する位相同期回路と、
該位相同期回路が出力するスイープタイミング信号と測定タイミング信号を入力すると共に、前記制御部よりスイープ時間と測定間隔時間と測定周波数ポイント数とスイープ周波数範囲の条件制御を受け、スイープタイミング信号に同期した所定の電圧範囲で階段状の三角波電圧を繰り返し発生する電圧制御発振器制御電圧発生部と、
該電圧制御発振器制御電圧発生部が出力する階段状の三角波電圧を入力し、前記スイープタイミング信号に同期して所定のスイープ時間で所定の周波数範囲にスイープされた測定周波数ポイントを有する階段状の周波数信号を繰り返し出力する電圧制御発振器と、
該電圧制御発振器が出力する周波数信号と前記増幅器が出力する測定信号とを混合するミキサー部と、
該ミキサー部が出力する混合信号の直流成分を抽出する低域濾波器と、
該低域濾波器が出力する直流電圧のレベルを所定のタイミングで測定するレベル測定部とを含むよう構成したことを特徴とする請求項３に記載の電力線の周波数特性測定装置。
【請求項５】
電力線の周波数特性を測定するための測定信号を出力する発振器と、前記測定信号を電力線に注入する第一のカップリングユニットと、電力線から前記測定信号を抽出する第二のカップリングユニットと、抽出した測定信号のレベルを測定して電力線の周波数特性を測定する測定器とにより構成する電力線の周波数特性測定装置であって、
前記測定器は、スイープタイミング信号を生成するスイープタイミング信号生成手段を有し、スイープタイミング信号に基づいて第二のカップリングユニットより入力される測定信号のレベルを測定するものであり、
前記発振器は、前記測定器から供給されたスイープタイミング信号に基づいてこれと同期した独自のスイープタイミング信号を生成する同期保持手段を有し、該同期保持手段が生成する独自のスイープタイミング信号に基づいて所定のスイープ周波数範囲を所定のスイープ時間にて掃引して得た信号を前記測定信号として第一のカップリングユニットへ出力するものであることを特徴とする電力線の周波数特性測定装置。
【請求項６】
電力線の周波数特性を測定する測定信号を出力する発振器と、前記測定信号を電力線に注入する第一のカップリングユニットと、電力線から前記測定信号を抽出する第二のカップリングユニットと、抽出した測定信号のレベルを測定して電力線の周波数特性を測定する測定器とにより構成する電力線の周波数特性測定装置であって、
前記発振器は、スイープタイミング信号を生成するスイープタイミング信号生成手段を有し、スイープタイミング信号に基づいて所定のスイープ周波数範囲を所定のスイープ時間にて掃引して得た信号を前記測定信号として第一のカップリングユニットへ出力するものであり、
前記測定器は、前記発振器から供給されたスイープタイミング信号に基づいてこれと同期した独自のスイープタイミング信号を生成する同期保持手段を有し、該同期保持手段が生成する独自のスイープタイミング信号に基づいて第二のカップリングユニットより入力される測定信号のレベルを測定するものであることを特徴とする電力線の周波数特性測定装置。
【請求項７】
前記測定器は、タイマー手段を備えており、
該タイマー手段は、前記同期保持手段へのスイープタイミング信号の供給が停止すると計時をスタートし、予めセットされた時間が経過すると警告信号を発することを特徴とする請求項５又は６に記載の電力線の周波数特性測定装置。
【請求項８】
請求項５乃至７のいずれかに記載の周波数特性測定装置を用いた電力線の周波数特性測定方法であって、
前記発振器と測定器とを同軸ケーブルにて接続し、一方のスイープタイミング信号生成手段の出力したスイープタイミング信号を他方の同期保持手段に供給して同期を得るステップと、
前記同軸ケーブルを取り外して前記発振器と第一のカップリングユニットとを対にして、測定器と第二のカップリングユニットとを対にして、夫々を電力線の所定位置に設置するステップと、
前記スイープタイミング信号生成手段の出力したスイープタイミング信号と、前記同期保持手段の出力した独自のスイープタイミング信号とに基づいて測定を実施するステップとを備えたことを特徴とする電力線の周波数特性測定方法。
【発明の詳細な説明】
【技術分野】
【０００１】
本発明は電力線の周波数特性測定装置に関し、特に測定信号を送出する発振器と受信した測定信号の周波数特性を測定する測定器とを分離し、カップリングユニットを介して電力線の一方に発振器を接続し他端に測定器を接続することにより容易に電力線の周波数特性を測定可能な測定装置に関するものである。
【背景技術】
【０００２】
近年、屋外や屋内などの電力線を使用し、高周波信号を用いて情報を伝送する電力線搬送方式は、伝送路の新たな敷設の必要が無い等、コストの低減を図ることが出来ることから広く使用されつつある。電力線を用いた高周波信号の伝送においては、一般の通信ケーブルを用いた伝送のように、送信側と受信側とが１対１で直接結ばれることは無く、伝送路となる電力線の分岐や、トランス、分電盤、電力量計等の存在、或いは、電源コンセントに接続される様々な家電機器等に影響され、高周波信号の減衰や伝送路のインピーダンスの変化が生ずる。しかも、これら高周波信号の減衰や伝送路のインピーダンスの変化を与える原因の組み合わせは無数に存在し、電力線搬送装置を運用するためには、伝送路の状況に応じた回線設計と現地調査が不可欠である。
【０００３】
そこで、現状では、電力線の配線図や機器の設置図からおおよその回線設計を実施し、その後、電力線搬送装置を設置しようとする電力線区間において、異なる高周波信号周波数に設定された複数の電力線搬送装置等を使用して伝送試験を行い、最も適した高周波信号周波数を有する電力線搬送装置を決定していた。
【０００４】
一方、一般の通信回線では、伝送路の特性を測定する場合、汎用のネットワークアナライザを使用するのが一般的である。そこで、電力線を用いた伝送路の特性を汎用のネットワークアナライザを用いて測定することも可能であり、図１０に、汎用のネットワークアナライザを使用して電力線を用いた伝送路の特性を測定する場合の構成例を示す。図１０は、汎用のネットワークアナライザ１と、測定信号を電力線に注入する注入器２と、電力線から測定信号を抽出する抽出器３とにより構成する。ネットワークアナライザ１は、基準周波数信号源として機能する温度制御水晶発振器（以降、ＴＣＸＯと称す）４と、測定周波数をスイープさせるための三角波状の電圧を発生するランプ電圧発生部５と、ランプ電圧発生部５に制御されて測定周波数を所定の周波数幅でスイープするスイーパー６と、受信した測定周波数信号を所定のレベルに増幅する増幅器７と、受信した測定周波数信号のレベルを測定し周波数解析して周波数特性を求める周波数解析部８と、求めた周波数特性を表示する表示部９と、周波数解析部の動作を制御する制御部１０とにより構成する。
そこで、このように構成した測定系において、ネットワークアナライザの測定周波数のスイープ範囲を所望の周波数範囲に設定して、必要な周波数特性を得ることが出来る。
【特許文献１】２００３−２７３８１５号公報
【特許文献２】２００３−２４４０３３号公報
【特許文献３】特開平６−３７６７６号公報
【特許文献４】特開平１−２１２３６７号公報
【発明の開示】
【発明が解決しようとする課題】
【０００５】
しかしながら、従来の電力線の周波数特性を測定する方法は、ネットワークアナライザが１台の機器で送信側と受信側を併用するため、これを電力線搬送システムのように長尺（１０ｍ〜３００ｍ程度）の伝送システムに適応した場合、測定用の送信信号か受信信号のどちらかの信号を、同軸ケーブルを用いてネットワークアナライザまで引き込む必要がある。図１１は、従来の電力線の周波数特性を測定する方法において、ネットワークアナライザの設置の様子を示す図である。図１１は、ネットワークアナライザ１を電力線の受信端側に設置した場合を示しており、電力線の送信端に設置した注入器２とネットワークアナライザ１間を、同軸ケーブル１１を用いて接続している。従って、このような測定方法であると、電力線の測定範囲が同軸ケーブルの長さで制約されたり、同軸ケーブルの途中に増幅器が必要となったりし、測定機材の規模が大きくなるという問題が生ずる。
【０００６】
一方、ネットワークアナライザを使用した一般の通信回線の周波数特性の測定においても長尺の伝送路については同様の問題が発生するため、ネットワークアナライザを使用せずに測定する先行技術が提案されている。例えば、特開平６−３７６７６号公報、２００３−２４４０３３号公報に開示されているように、ＣＡＴＶの伝送路の周波数特性を測定する方法ではホワイトノイズを使用しているが、ノイズの多い電力線では不向きである。又、伝送路の測定機材についても任意波形発生器、デジタルオシロスコープ、パソコン等多くの機種を使用し、設置工事時の簡易測定には不向きである。
本発明は上述したような問題を解決するためになされたものであって、測定範囲の制約が無く、持ち運びに便利な電力線の周波数特性測定装置を提供することを目的とする。
【課題を解決するための手段】
【０００７】
上記目的を達成するために本発明に係わる電力線の周波数特性測定装置は、以下の構成をとる。
請求項１に記載の電力線の周波数特性測定装置は、電力線の周波数特性を測定するための測定信号を出力する発振器と、前記測定信号を電力線に注入する第一のカップリングユニットと、電力線から前記測定信号を抽出する第二のカップリングユニットと、抽出した測定信号のレベルを測定して電力線の周波数特性を測定する測定器とにより構成する電力線の周波数特性測定装置であって、前記発振器は、外部より同期命令信号を受信し位相同期回路を外部から入力するスイープタイミング信号に同期させると共に、外部より測定信号のスイープ時間とスイープ周波数範囲の設定を行う信号と、発振器の出力インタフェース条件の切替を行う信号とを受信して所定の機能ブロックの制御を行う制御部と、該制御部の制御の基に外部より入力するスイープタイミング信号に同期した独自のスイープタイミング信号を生成し保持する位相同期回路（以降、ＰＬＬと称す）と、該ＰＬＬの基準周波数信号を出力する電圧制御水晶発振器（以降、ＶＣＸＯと称す）と、前記制御部の制御の基にＰＬＬが出力するスイープタイミング信号を入力し、該スイープタイミング信号に同期して所定のスイープ時間で所定の電圧範囲の三角波電圧を一定周器で繰り返し発生するランプ電圧発生部と、前記三角波電圧を入力し電圧制御発振回路を制御して、前記スイープタイミング信号に同期した所定の範囲の周波数信号を所定のスイープ時間でスイープした測定信号を発生するスイーパーと、前記測定信号を所定のレベルに増幅する増幅器と、前記制御部の制御により発振器の出力インタフェース条件を５０Ω平衡、或いは５０Ω不平衡に切替える切替部とを含み、前記測定器は、外部よりスイープ時間と測定時間と測定間隔時間と測定周波数ポイント数とスイープ周波数範囲の設定を行う信号と、及び測定器の入力インタフェース条件の切替を設定する信号とを受信して、所定の機能ブロックを制御する制御部と、基準周波数信号を出力するＴＣＸＯと、前記制御部の制御により測定器の入力インタフェース条件を５０Ω平衡、或いは５０Ω不平衡に切替える切替部と、受信した測定信号を所定のレベルに増幅する増幅器と、前記制御部の制御の基にスイープタイミング信号を生成すると共に、前記スイープタイミング信号に同期してスイープして得た測定周波数ポイントにおいて、受信した測定信号を所定時間レベル測定し、電力線の周波数特性を求める周波数解析部と、求めた周波数特性を表示する表示部とを含むよう構成する。
【０００８】
請求項２に記載の電力線の周波数特性測定装置は、前記周波数解析部が、前記制御部の制御により前記ＴＣＸＯが出力する基準周波数信号を分周してスイープタイミング信号と測定タイミング信号を出力する分周部と、該分周部が出力するスイープタイミング信号と測定タイミング信号を入力すると共に、前記制御部よりスイープ時間と測定間隔時間と測定周波数ポイント数とスイープ周波数範囲の条件制御を受け、スイープタイミング信号に同期した所定の電圧範囲で階段状の三角波電圧を繰り返し発生する電圧制御発振器制御電圧発生部（以降、ＶＣＯ制御電圧発生部と称す）と、該ＶＣＯ制御電圧発生部が出力する階段状の三角波電圧を入力し、前記スイープタイミング信号に同期して所定のスイープ時間で所定の周波数範囲にスイープされた測定周波数ポイントを有する階段状の周波数信号を繰り返し出力する電圧制御発振器（以降、ＶＣＯと称す）と、該ＶＣＯが出力する周波数信号と前記増幅器が出力する測定信号とを混合するミキサー部と、該ミキサー部が出力する混合信号の直流成分を抽出する低域濾波器（以降、ＬＰＦと称す）と、該ＬＰＦが出力する直流電圧のレベルを所定のタイミングで測定するレベル測定部とを含むよう構成する。
【０００９】
請求項３に記載の電力線の周波数特性測定装置は、電力線の周波数特性を測定する測定信号を出力する発振器と、前記測定信号を電力線に注入する第一のカップリングユニットと、電力線から前記測定信号を抽出する第二のカップリングユニットと、抽出した測定信号のレベルを測定して電力線の周波数特性を測定する測定器とにより構成する電力線の周波数特性測定装置であって、前記発振器は、外部より測定信号のスイープ時間とスイープ周波数範囲の設定を行う信号と、発振器の出力インタフェース条件の切替を行う信号とを受信して所定の機能ブロックの制御行う制御部と、基準周波数信号を出力するＴＣＸＯと、前記制御部の制御により前記ＴＣＸＯが出力する基準周波数信号を分周してスイープタイミング信号や測定タイミング信号を出力する分周部と、前記制御部の制御の基に前記分周部が出力するスイープタイミング信号を入力して、該スイープタイミング信号に同期して所定のスイープ時間で所定の電圧範囲の三角波電圧を一定周器で繰り返し発生するランプ電圧発生部と、前記三角波電圧を入力し電圧制御発振回路を制御して、前記スイープタイミング信号に同期した所定の範囲の周波数信号を所定のスイープ時間でスイープした測定信号を発生するスイーパーと、前記測定信号を所定のレベルに増幅する増幅器と、発振器の出力インタフェース条件を５０Ω平衡、或いは５０Ω不平衡に切替える切替部とを含み、前記測定器は、外部より同期命令信号を受信しＰＬＬを外部から入力するスイープタイミング信号に同期させると共に、外部よりスイープ時間と測定時間と測定間隔時間と測定周波数ポイント数とスイープ周波数範囲の設定を行う信号と、測定器の入力インタフェース条件を切替える信号とを受信して所定の機能ブロックを制御する制御部と、ＰＬＬの基準周波数信号を出力するＶＣＸＯと、測定器の入力インタフェース条件を５０Ω平衡、或いは５０Ω不平衡に切替える切替部と、受信した測定信号を所定のレベルに増幅する増幅器と、発振器より受信したスイープタイミング信号に位相同期した独自のスイープタイミング信号を生成保持すると共に、前記スイープタイミング信号に同期してスイープして得た測定周波数ポイントにおいて、受信した測定信号を所定時間レベル測定し、電力線の周波数特性を求める周波数解析部と、求めた周波数特性を表示する表示部とを含むよう構成する。
【００１０】
請求項４に記載の電力線の周波数特性測定装置は、前記周波数解部が、外部より入力するスイープタイミング信号に同期した独自のスイープタイミング信号と測定タイミング信号を生成するＰＬＬと、該ＰＬＬが出力するスイープタイミング信号と測定タイミング信号を入力すると共に、前記制御部よりスイープ時間と測定間隔時間と測定周波数ポイント数とスイープ周波数範囲の条件制御を受け、スイープタイミング信号に同期した所定の電圧範囲で階段状の三角波電圧を繰り返し発生するＶＣＯ制御電圧発生部と、該ＶＣＯ制御電圧発生部が出力する階段状の三角波電圧を入力し、前記スイープタイミング信号に同期して所定のスイープ時間で所定の周波数範囲にスイープされた測定周波数ポイントを有する階段状の周波数信号を繰り返し出力するＶＣＯと、該ＶＣＯが出力する周波数信号と前記増幅器が出力する測定信号とを混合するミキサー部と、該ミキサー部が出力する混合信号の直流成分を抽出するＬＰＦと、該ＬＰＦが出力する直流電圧のレベルを所定のタイミングで測定するレベル測定部とを含むよう構成する。
【００１１】
請求項５に記載の電力線の周波数特性測定装置は、電力線の周波数特性を測定するための測定信号を出力する発振器と、前記測定信号を電力線に注入する第一のカップリングユニットと、電力線から前記測定信号を抽出する第二のカップリングユニットと、抽出した測定信号のレベルを測定して電力線の周波数特性を測定する測定器とにより構成する電力線の周波数特性測定装置であって、前記測定器は、スイープタイミング信号を生成するスイープタイミング信号生成手段を有し、スイープタイミング信号に基づいて第二のカップリングユニットより入力される測定信号のレベルを測定するものであり、前記発振器は、前記測定器から供給されたスイープタイミング信号に基づいてこれと同期した独自のスイープタイミング信号を生成する同期保持手段を有し、該同期保持手段が生成する独自のスイープタイミング信号に基づいて所定のスイープ周波数範囲を所定のスイープ時間にて掃引して得た信号を前記測定信号として第一のカップリングユニットへ出力するよう構成する。
【００１２】
請求項６に記載の電力線の周波数特性測定装置は、電力線の周波数特性を測定する測定信号を出力する発振器と、前記測定信号を電力線に注入する第一のカップリングユニットと、電力線から前記測定信号を抽出する第二のカップリングユニットと、抽出した測定信号のレベルを測定して電力線の周波数特性を測定する測定器とにより構成する電力線の周波数特性測定装置であって、前記発振器は、スイープタイミング信号を生成するスイープタイミング信号生成手段を有し、スイープタイミング信号に基づいて所定のスイープ周波数範囲を所定のスイープ時間にて掃引して得た信号を前記測定信号として第一のカップリングユニットへ出力するものであり、前記測定器は、前記発振器から供給されたスイープタイミング信号に基づいてこれと同期した独自のスイープタイミング信号を生成する同期保持手段を有し、該同期保持手段が生成する独自のスイープタイミング信号に基づいて第二のカップリングユニットより入力される測定信号のレベルを測定するよう構成する。
【００１３】
請求項７に記載の電力線の周波数特性測定装置は、前記測定器がタイマー手段を備えており、該タイマー手段は、前記同期保持手段へのスイープタイミング信号の供給が停止すると計時をスタートし、予めセットされた時間が経過すると警告信号を発するよう構成する。
【００１４】
請求項８に記載の電力線の周波数特性測定方法は、請求項５乃至７のいずれかに記載の周波数特性測定装置を用いた電力線の周波数特性測定方法であって、前記発振器と測定器とを同軸ケーブルにて接続し、一方のスイープタイミング信号生成手段の出力したスイープタイミング信号を他方の同期保持手段に供給して同期を得るステップと、前記同軸ケーブルを取り外して前記発振器と第一のカップリングユニットとを対にして、測定器と第二のカップリングユニットとを対にして、夫々を電力線の所定位置に設置するステップと、前記スイープタイミング信号生成手段の出力したスイープタイミング信号と、前記同期保持手段の出力した独自のスイープタイミング信号とに基づいて測定を実施するステップとを備えるよう構成する
【発明の効果】
【００１５】
請求項１、２及び５に記載の発明は、周波数特性測定装置を発振器と測定器に分離したため、測定範囲の制約を受けることなく所望のスイープ時間及び測定周波数ポイントを設定して、容易に周波数特性の測定が可能である。又、装置を小型か出来るので持ち運びに便利であると共に、複数の発振器を使用すれば１対Ｎの測定が可能であり、短時間で複数の伝送路の測定が可能となり、電力線の周波数特性測定装置を使用する上で大きな効果を発揮する。
【００１６】
請求項３、４及び６に記載の発明は、周波数特性測定装置を発振器と測定器に分離したため、測定範囲の制約を受けることなく所望のスイープ時間及び測定周波数ポイントを設定して、容易に周波数特性の測定が可能である。又、発振器に同期回路を必要としないので、発振器をより小型化出来、発振器を移動して測定する際に便利であると共に、低消費電力化が可能であることから発振器を電池駆動とした際に、電池寿命を長期化することが出来、電力線の周波数特性測定装置を使用する上で大きな効果を発揮する。
【００１７】
請求項７に記載の発明は、測定器に同期ずれを警告するタイマーを備えており、周波数特性測定装置を運用する上で大きな効果を発揮する。
【００１８】
請求項８に記載の発明は、周波数特性測定装置を発振器と測定器に分離したため、所定の測定ステップで、測定範囲の制約を受けることなく所望のスイープ時間及び測定周波数ポイントを設定して、容易に周波数特性の測定が可能であり、周波数特性測定装置を運用する上で大きな効果を発揮する。
【発明を実施するための最良の形態】
【００１９】
以下、図示した実施例に基づいて本発明を詳細に説明する。
図１は、本発明に係る電力線の周波数特性測定装置の第一の実施例を示す構成図である。本実施例は、測定装置を発振器１２と測定器１３とに分割し、発振器１２が出力する信号を電力線に注入するカップリングユニット１４を電力線の送信端に接続し、測定器１３が入力する信号を電力線より抽出するカップリングユニット１５を電力線の受信端に接続したものである。
発振器１２は、外部より同期命令信号を受信しＰＬＬを外部から入力するスイープタイミング信号に同期させると共に、外部より測定信号のスイープ時間とスイープ周波数範囲の設定を行う信号と、及び発振器１２の出力インタフェース条件の切替を行う信号とを受信して所定の機能ブロックの制御を行う制御部１６と、該制御部１６の制御の基に外部より入力するスイープタイミング信号に同期した独自のスイープタイミング信号を生成し保持するＰＬＬ１７と、該ＰＬＬ１７の基準周波数信号を出力するＶＣＸＯ１８と、前記制御部１６の制御の基にＰＬＬ１７が出力するスイープタイミング信号を入力し、該スイープタイミング信号に同期して所定のスイープ時間で所定の電圧範囲の三角波電圧を一定周器で繰り返し発生するランプ電圧発生部１９と、前記三角波電圧を入力し電圧制御発振回路を制御して、前記スイープタイミング信号に同期した所定の範囲の周波数信号を所定のスイープ時間でスイープした測定信号を発生するスイーパー２０と、前記測定信号を所定のレベルに増幅する増幅器２１と、制御部１６の制御により発振器の出力インタフェース条件を５０Ω平衡、或いは５０Ω不平衡に切替える切替部２２とにより構成する。
【００２０】
一方、測定器１３は、外部よりスイープ時間と測定時間と測定間隔時間と測定周波数ポイント数とスイープ周波数範囲との設定を行う信号と、及び測定器１３の入力インタフェース条件の切替を設定する信号とを受信して、所定の機能ブロックを制御する制御部２３と、基準周波数信号を出力するＴＣＸＯ２４と、制御部２３の制御により測定器１３の入力インタフェース条件を５０Ω平衡、或いは５０Ω不平衡に切替える切替部２５と、受信した測定信号を所定のレベルに増幅する増幅器２６と、制御部２３の制御の基にスイープタイミング信号を生成すると共に、前記スイープタイミング信号に同期してスイープして得た測定周波数ポイントにおいて、受信した測定信号を所定時間レベル測定し、電力線の周波数特性を求める周波数解析部２７と、求めた周波数特性を表示する表示部２８とにより構成する。
【００２１】
又、周波数解析部２７は、制御部２３の制御によりＴＣＸＯ２４が出力する基準周波数信号を分周してスイープタイミング信号と測定タイミング信号とを出力する分周部２９と、該分周部２９が出力するスイープタイミング信号と測定タイミング信号とを入力すると共に、制御部２３よりスイープ時間と測定間隔時間と測定周波数ポイント数とスイープ周波数範囲の条件制御を受け、スイープタイミング信号に同期した所定の電圧範囲で階段状の三角波電圧を繰り返し発生するＶＣＯ制御電圧発生部３０と、該ＶＣＯ制御電圧発生部３０が出力する階段状の三角波電圧を入力し、前記スイープタイミング信号に同期して所定のスイープ時間で所定の周波数範囲にスイープされた測定周波数ポイントを有する階段状の周波数信号を繰り返し出力するＶＣＯ３１と、該ＶＣＯ３１が出力する周波数信号と前記増幅器２６が出力する測定信号とを混合するミキサー部３２と、該ミキサー部３２が出力する混合信号の直流成分を抽出するＬＰＦ３３と、該ＬＰＦ３３が出力する直流電圧のレベルを所定のタイミングで測定するレベル測定部３４とにより構成する。
【００２２】
次に、図１に示した第一の実施例の動作について説明する。本実施例においては、周波数特性測定装置を発振器１２と測定器１３に分離した構成であり、発振器１２と測定器１３との間で測定周波数信号をスイープするスイープタイミングの同期を常時保持する必要がある。そこで、測定器１３は常に所定のスイープタイミング信号を生成するようにしておき、測定を開始する前に予め発振器１２と測定器１３を１箇所に集め、測定器１３のスイープタイミング信号出力端子と発振器１２のスイープタイミング信号入力端子とを同軸ケーブル等を用いて接続する。発振器１２は、測定器１３が出力する前記スイープタイミング信号を受信し、別途外部から発振器１２に入力する同期命令信号に従って、受信したスイープタイミング信号の位相にＰＬＬ１７の位相を同期させて保持し、以降、その信号を発振器１２のスイープタイミング信号として使用する。そこで、発振器１２と測定器１３との間のスイープタイミング信号の同期が保持されたので、発振器１２と測定器１３とを所定の測定ポイントに設置して測定を開始する。従って、以降の説明は、発振器１２と測定器１３とを分離しても、発振器１２と測定器１３との間のスイープタイミング信号が同期しており、同期を保持していることを前提とする。
【００２３】
先ず、発振器１２の動作を説明すると、発振器１２には、測定信号のスイープ時間とスイープ周波数範囲の設定機能、及び発振器１２の出力インタフェース条件を５０Ω平衡か５０Ω不平衡かに設定する機能を有しており、制御部１６を介してランプ電圧発生部１９及び切替部２２を制御することが出来る。これらの設定は、測定開始前、前述した発振器と測定器のスイープタイミング信号の同期を確立する前に行っておく。次に、前述したようにＰＬＬ１７は、測定器１３が生成しているスイープタイミング信号に位相同期している。そこで、ＰＬＬ１７が出力するスイープタイミング信号をランプ電圧発生部１９に入力すると、ランプ電圧発生部１９は、制御部１６からの制御信号に基づき、前記スイープタイミング信号に同期して所定の繰り返し時間で、所定の電圧範囲の三角波電圧を形成する。
【００２４】
図２は、本発明に係わるランプ電圧発生部の出力電圧波形の例を示し、所定の繰り返し時間（スイープ時間）で、ＶａからＶｂの電圧範囲の三角波電圧を出力している。
次に、ランプ電圧発生部１９が出力する三角波電圧はスイーパー２0に入力され、スイープタイミング信号に同期して予め設定された周波数範囲で、所定の繰り返し時間（スイープ時間）において周波数スイープされた測定信号を出力する。スイーパー２０は、電圧制御発振回路により構成し、入力した三角波電圧により一義的に決められた発生周波数信号を出力する。
【００２５】
図３は、本発明に係わるスイーパーの出力波形の例を示し、所定の繰り返し時間（スイープ時間）で、ｆａからｆｂ迄の周波数範囲のスイープ周波数信号である測定信号を出力する。
次に、スイーパー２０が出力する測定信号は、増幅器２１に入力して所定のレベルに増幅し、切替部２２に入力する。本実施例においては、発振器１２の出力インタフェース条件を、５０Ω平衡、或いは５０Ω不平衡に選択可能としているが、これは、カップリングユニットを接続する際に拡張性を持たせたものであり、カップリングユニットに接続されたケーブルがツイストペアケーブル（５０Ω平衡）を使用している場合、或いは同軸ケーブル（５０Ω不平衡）を使用している場合の夫々に対応できるようにしたものである。そこで、切替器２２は、カップリングユニット１４の接続インタフェース条件に合わせて発振器１２の出力インタフェースを切替えるものであり、所望のインタフェースに切替えて測定信号をカップリングユニット１４へ出力し、電力線に測定信号を注入する。
【００２６】
カップリングユニット１４は、測定信号を電力線に注入する機能を有し、本実施例においては、電灯線等のＡＣコンセントにプラグを用いて差し込む構造である。
図４に、本発明に係わるカップリングユニットの構造例を示す。カップリングユニット１４には、プラグ３５が接続されており、ＡＣコンセント３６に差し込む構造であり、直流カット用のコンデンサ３７ａ、３７ｂと、トランス３８とにより構成する。尚、カップリングユニットの構成については、他にも適応可能なもの、例えば、電流トランス（ＣＴ）を用いた間接接続方式等が使用可能である。
【００２７】
次に、測定器１３の動作について説明すると、測定器１３には、測定用の周波数信号のスイープ時間と測定時間と測定間隔時間と測定周波数ポイントとスイープ周波数範囲とを設定する機能と、測定器１３の入力インタフェースを５０Ω平衡か５０Ω不平衡かを設定する機能を有しており、制御部２３を介して、分周部２９、ＶＣＯ制御電圧発生部３０、表示部２８、レベル測定部３４、切替部２５を制御することが出来る。これらの設定は、測定開始前、前述した発振器と測定器のスイープタイミング信号の同期を確立する前に行っておく。
電力線の測定ポイントに設置したカップリングユニット１５により抽出した測定信号は、切替部２５に入力した後、増幅器２６により所定のレベルに増幅して周波数解析部２７を構成するミキサー部３２に入力する。カップリングユニット１５は、発振器１２に接続したカップリングユニット１４と同一のものであり、接続インタフェース条件が５０Ω平衡（ツイストペアケーブルにて接続）の場合と、５０Ω不平衡（同軸ケーブルにて接続）の場合とがあり、切替部２５は、カップリングユニット１５の接続インタフェース条件に合わせて測定器１３の入力インタフェースを切替える。
【００２８】
一方、基準周波数発振器となるＴＣＸＯ２４の出力を、制御部２３の制御を受けた分周器２９により分周し、所望のスイープタイミング信号を生成して、同期用のスイープタイミング信号として外部に出力すると共に、ＶＣＯ制御電圧発生部３０に入力する。又、分周器２９からは、測定信号のレベルを測定するタイミングとなる測定タイミング信号も出力し、ＶＣＯ制御電圧発生部３０と、レベル測定部３４に入力している。制御部２３の制御を受けたＶＣＯ制御電圧発生部３０は、次段のＶＣＯ３１の発振周波数を制御するための制御電圧を生成するもので、前記スイープタイミング信号に同期して所定のスイープ時間、スイープ間隔、測定周波数ポイント、スイープ範囲の条件を満たす階段状の三角波の電圧を出力する。
【００２９】
図５に、本発明に係わるＶＣＯ制御電圧発生部の出力波形の例を示す。図５に示したＶ１、Ｖ２、Ｖ３、Ｖ４の各値が測定周波数ポイントに相当し、各測定周波数ポイントにおいて所定の時間定電圧として、この間を測定信号のレベル測定時間として使用出来るようにすると共に、所定のスイープ時間で繰り返し制御電圧を発生する。
次に、ＶＣＯ制御電圧発生部３０が出力する制御電圧は、ＶＣＯ３１に入力して、制御電圧に対応した周波数信号に変換する。
【００３０】
図６に、本発明に係わるＶＣＯの出力波形の例を示す。図６に示したｆ１、ｆ２、ｆ３、ｆ４の各値が測定周波数ポイントとなり、前記スイープタイミング信号に同期して所定のスイープ時間で階段状の繰り返し周波数信号を出力する。
次に、ＶＣＯ３１が出力する測定用の周波数信号は、ミキサー３２に入力され、前述した増幅器２６が出力する受信した測定信号と混合される。前記測定用の周波数信号と受信した測定信号とは、スイープタイミングが同期しており、所定のスイープ範囲を所定のスイープ時間によりスイープしているため、ミキサー３２の出力は、ｆ１、ｆ２、ｆ３、ｆ４の各測定周波数ポイントにおいて直流に近い成分を得ることが出来る。そこで、ミキサー３２の出力をＬＰＦ３３に入力して直流以外の不要な周波数成分を除去し、レベル測定部３４に入力して制御部２３の制御により所定のタイミングで所定の時間レベルを測定し、更に、表示部２８により測定レベルを表示して電力線の周波数特性を得る。
【００３１】
以上説明したように本第一の実施例においては、測定装置を発振器と測定器に分離したため、測定範囲の制約が無く、持ち運びに便利な電力線の周波数特性測定装置が提供可能となる。
又、本第一の実施例においては、測定器１３が生成したスイープタイミング信号に、発振器１２のスイープタイミング信号を同期させているため、１台の測定器に対し複数の発振器を従属させることが出来、１：Ｎの測定系の構築が可能となる。
図７は、本発明に係わる電力線の周波数特性測定装置において、１：Ｎの測定系の構築を行った例を示す。図７は、１台の測定器１３に対して、３台の発振器１２ａ、１２ｂ、１２ｃを対向させたものであり、複数区間の電力線の周波数特性の測定が必要となった際は、測定時間の短縮が図られる。
【００３２】
次に、発振器１２と測定器１３との間のスイープタイミングの同期について更に詳しく説明する。前述したように本第一の実施例においては、発振器１２は、測定器１３が生成したスイープタイミング信号をＰＬＬに入力し、同期命令信号を入力することで同期保持して、発振器１２用のスイープタイミング信号を得ている。その後、測定器１３が生成したスイープタイミング信号の受信を停止するので、以後、発振器１２は、電力線の周波数特性測定時、ＰＬＬの同期保持動作によりスイープタイミング信号の同期を維持するが、測定器１３と、発振器１２の夫々に内蔵するＴＣＸＯ、ＶＣＸＯの基準周波数発振器は誤差を持っているため、長時間経過すると、測定器１３において生成しているスイープタイミング信号と、発振器１２において同期保持しているスイープタイミング信号との間に同期ずれが生ずる。そこで、発振器１２が出力する周波数スイープされた測定信号の測定周波数ポイントの時間位置と、測定器１３が生成する測定周波数ポイントにおけるレベル測定時間のタイミングがずれることにより、測定器１３に設けたミキサー３２において、受信した測定信号と測定用の周波数信号の位相がずれて混合され、所定値以上の位相がずれるとミキサー３２が出力する所望の直流成分が減少し、従って、レベル測定部３４においてレベル測定不能となる恐れが生ずる。
【００３３】
図８は、発振器と測定器のスイープタイミング信号の同期がずれた場合の動作を説明する図である。図８は、発振器が出力するスイープされた測定信号の測定周波数ポイントの時間位置と、測定器で生成している各測定周波数ポイントでのレベル測定時間のタイミングがずれた場合を示し、測定器は、各測定周波数ポイントにおいて所定時間レベル測定を行うが、時間の経過と共に発振器が出力する測定信号のスイープタイミングがずれ、発振器が出力する測定周波数ポイントの信号が、測定器の所定の測定時間外にずれ込み、従って、ある時間を経過すると測定不能となる可能性が生ずる。
【００３４】
そこで、本電力線の周波数特性測定装置においては、発振器１２の有効な同期保持時間が有限となっており、所定の同期保持時間を超えて測定を行う場合は、再度、発振器１２と測定器１３とを一箇所に集めて測定器１３が出力するスイープタイミング信号を発振器１２に入力し、同期指令信号を基に発振器１２の再同期を行い、発振器１２と測定器１３との間のスイープタイミング信号の同期ずれを解消し、その後、所望の測定場所に発振器１２と測定器１３とを設置して測定を開始する。そのため、測定器１３にタイマーを設け、発振器１２に対してスイープタイミング信号の供給が停止するとタイマーがスタートし、予め設定した時間が経過すると同期ずれのおそれがある旨の警告信号を発するようにするのが望ましい。
尚、前記各測定周波数ポイントにおける測定時間、測定間隔時間は任意に設定可能であり、この設定値により発振器と測定器のスイープタイミング信号の同期ずれの影響は変化する。そこで、本周波数特性測定装置を運用する際は、測定時間や、測定にかかる費用等を考慮して最適値な設定値を選択することが望ましい。
【００３５】
次に、本発明に係わる電力線の周波数特性測定装置について、第二の実施例を示す。本第二の実施例は、外部から入力するスイープタイミング信号に位相同期する回路を測定器に設け、測定器は、発振器が常時生成しているスイープタイミング信号を入力して、同期命令信号を基に内蔵するＰＬＬを前記発振器が出力するスイープタイミング信号に同期させて保持した点が、第一の実施例と異なる。
図９は、本発明に係る電力線の周波数特性測定装置の第二の実施例を示す構成図である。本実施例は、測定装置を発振器３９と測定器４０とに分割し、発振器３９が出力する信号を電力線に注入するカップリングユニット１４を電力線の送信端に接続し、測定器４０が入力する信号を電力線より抽出するカップリングユニット１５を電力線の受信端に接続したものである。
【００３６】
発振器３９は、外部より測定信号のスイープ時間とスイープ周波数範囲の設定を行う信号と、発振器３９の出力インタフェース条件の切替を行う信号とを受信して所定の機能ブロックの制御行う制御部４１と、基準周波数信号を出力するＴＣＸＯ４２と、制御部４１の制御によりＴＣＸＯ４２が出力する基準周波数信号を分周してスイープタイミング信号と測定タイミング信号を出力する分周部４３と、前記制御部４１の制御の基に該分周部４３が出力するスイープタイミング信号を入力して、該スイープタイミング信号に同期して所定のスイープ時間で所定の電圧範囲の三角波電圧を一定周器で繰り返し発生するランプ電圧発生部１９と、前記三角波の電圧を入力し電圧制御発振回路を制御して、前記スイープタイミング信号に同期した所定の範囲の周波数信号を所定のスイープ時間でスイープした測定信号を発生するスイーパー２０と、前記測定信号を所定のレベルに増幅する増幅器２１と、発振器３９の出力インタフェース条件を５０Ω平衡、或いは５０Ω不平衡に切替える切替部２２とにより構成する。
【００３７】
一方、測定器４０は、外部より同期命令信号を受信しＰＬＬを外部から入力するスイープタイミング信号に同期させると共に、外部よりスイープ時間と測定時間と測定間隔時間と測定周波数ポイント数とスイープ周波数範囲の設定を行う信号と、測定器１３の入力インタフェース条件を切替える信号とを受信して所定の機能ブロックを制御する制御部４４と、位相同期回路の基準周波数信号を出力するＶＣＸＯ４５と、測定器４０の入力インタフェース条件を５０Ω平衡、或いは５０Ω不平衡に切替える切替部２５と、受信した測定信号を所定のレベルに増幅する増幅器２６と、発振器３９より受信したスイープタイミング信号に位相同期した独自のスイープタイミング信号を生成保持すると共に、前記スイープタイミング信号に同期してスイープして得た測定周波数ポイントにおいて、受信した測定信号を所定時間レベル測定し、電力線の周波数特性を求める周波数解析部４６と、求めた周波数特性を表示する表示部２８とにより構成する。
【００３８】
又、周波数解析部４６は、外部より入力するスイープタイミング信号に同期した独自のスイープタイミング信号と測定タイミング信号とを生成するＰＬＬ４７と、ＰＬＬ４７が出力するスイープタイミング信号と測定タイミング信号とを入力すると共に、制御部４４よりスイープ時間と測定間隔時間と測定周波数ポイント数とスイープ周波数範囲の条件制御を受け、スイープタイミング信号に同期した所定の電圧範囲で階段状の三角波電圧を繰り返し発生するＶＣＯ制御電圧発生部３０と、該ＶＣＯ制御電圧発生部３０が出力する階段状の三角波電圧を入力し、前記スイープタイミング信号に同期して所定のスイープ時間で所定の周波数範囲にスイープされた測定周波数ポイントを有する階段状の周波数信号を繰り返し出力するＶＣＯ３１と、該ＶＣＯ３１が出力する周波数信号と前記増幅器２６が出力する測定信号とを混合するミキサー部３２と、該ミキサー部３２が出力する混合信号の直流成分を抽出するＬＰＦ３３と、該ＬＰＦ３３が出力する直流電圧のレベルを所定のタイミングで測定するレベル測定部３４とにより構成する。
【００３９】
本第二の実施例の動作を説明すると、前述したように本第二の実施例と第一の実施例との相違点は、外部から入力するスイープタイミング信号に位相同期する回路を測定器に設け、発振器が常時生成しているスイープタイミング信号を入力して、同期命令信号を基にＰＬＬを前記発振器が出力するスイープタイミング信号に同期させて保持した点のみであるので、発振器３９と測定器４０との間のスイープタイミング信号の位相同期の方法についてのみ説明し、他の動作は、第一の実施例と同一であるので説明を省略する。
【００４０】
本第二の実施例においても、周波数特性測定装置を発振器３９と測定器４０に分離した構成であり、発振器３９と測定器４０との間で測定周波数信号のスイープタイミングを同期させると共にそれを保持する必要がある。そこで、発振器３９は、基準周波数発振器となるＴＣＸＯ４２の出力信号を、制御部４１により制御された分周部４３により所定値に分周することにより、所定のスイープタイミング信号を常に生成している。次に、測定を開始する前に予め発振器３９と測定器４０を１箇所に集め、発振器３９のスイープタイミング信号出力端子と測定器４０のスイープタイミング信号入力端子とを同軸ケーブル等を用いて接続する。測定器４０は、発振器３９が出力する前記スイープタイミング信号を受信し、別途外部から測定器４０に入力する同期命令信号に従って、受信したスイープタイミング信号の位相にＰＬＬ４７の位相を同期させて保持し、以降、その信号を測定器４０のスイープタイミング信号として使用する。このように、発振器３９と測定器４０との間で測定周波数信号のスイープタイミング信号の同期を確立した後、発振器３９と測定器４０とを所望の測定ポイントに設置して測定を開始する。
【００４１】
以上説明したように本第二の実施例においても、測定装置を発振器と測定器に分離したため、測定範囲の制約が無く、持ち運びに便利な電力線の周波数特性測定装置が提供可能となる。
又、第二の実施例においては、発振器３９にＰＬＬを有していないため、発振器を小型化出来、回路構成が単純となるので、発振器を電池駆動する際に消費電力が低減して電池寿命を長期化する。
尚、本第二の実施例においても測定器４０の有効な同期保持時間が有限となっており、所定の同期保持時間を超えて測定を行う場合は、再度、発振器３９と測定器４０とを一箇所に集めて発振器３９が出力するスイープタイミング信号を測定器４０に入力し、同期指令信号を基に測定器４０の再同期を行い、発振器３９と測定器４０との間のスイープタイミング信号の同期ずれを解消し、その後、所望の測定場所に発振器３９と測定器４０とを設置して測定を開始する。
【図面の簡単な説明】
【００４２】
【図１】本発明に係る電力線の周波数特性測定装置の第一の実施例を示す構成図である。
【図２】本発明に係わるランプ電圧発生部の出力電圧波形の例を示す。
【図３】本発明に係わるスイーパーの出力波形の例を示す。
【図４】本発明に係わるカップリングユニットの構造例を示す。
【図５】本発明に係わるＶＣＯ制御電圧発生部の出力波形の例を示す。
【図６】本発明に係わるＶＣＯの出力波形の例を示す。
【図７】本発明に係わる電力線の周波数特性測定装置において、１：Ｎの測定系の構築を行った例を示す。
【図８】発振器と測定器のスイープタイミング信号の同期がずれた場合の動作を説明する図である。
【図９】本発明に係る電力線の周波数特性測定装置の第二の実施例を示す構成図である。
【図１０】汎用のネットワークアナライザを使用して電力線を用いた伝送路の特性を測定する場合の構成例を示す。
【図１１】従来の電力線の周波数特性を測定する方法において、ネットワークアナライザの設置の様子を示す図である。
【符号の説明】
【００４３】
１・・ネットワークアナライザ、        ２・・注入器、
３・・抽出器、                        ４・・ＴＣＸＯ、
５・・ランプ電圧発生部、              ６・・スイーパー、
７・・増幅器、                        ８・・周波数解析部、
９・・表示部、                      １０・・制御部、
１１・・同軸ケーブル、                １２、１２ａ、１２ｂ、１２ｃ・・発振器、
１３・・測定器、
１４、１４ａ、１４ｂ、１４ｃ・・カップリングユニット、
１５・・カップリングユニット、        １６・・制御部、
１７・・ＰＬＬ、                      １８・・ＶＣＸＯ、
１９・・ランプ電圧発生部、            ２０・・スイーパー、
２１・・増幅器、                      ２２・・切替部、
２３・・制御部、                      ２４・・ＴＣＸＯ、
２５・・切替部、                      ２６・・増幅器、
２７・・周波数解析部、                ２８・・表示部、
２９・・分周部、                      ３０・・ＶＣＯ制御電圧発生部、
３１・・ＶＣＯ、                      ３２・・ミキサー、
３３・・ＬＰＦ、                      ３４・・レベル測定部、
３５・・プラグ、                      ３６・・ＡＣコンセント、
３７ａ、３７ｂ・・コンデンサ、        ３８・・トランス、
３９・・発振器、                      ４０・・測定器、
４１・・制御部、                      ４２・・ＴＣＸＯ、
４３・・分周部、                      ４４・・制御部、
４５・・ＶＣＸＯ、                    ４６・・周波数解析部、
４７・・ＰＬＬ
【図１】
2005265484.tif 000003
【図２】
2005265484.tif 000004
【図３】
2005265484.tif 000005
【図４】
2005265484.tif 000006
【図５】
2005265484.tif 000007
【図６】
2005265484.tif 000008
【図７】
2005265484.tif 000009
【図８】
2005265484.tif 000010
【図９】
2005265484.tif 000011
【図１０】
2005265484.tif 000012
【図１１】
2005265484.tif 000013